(57)【要約】【課題】多数の初期データを短時間かつ容易に設定できるようにする。【解決手段】開示される共同住宅警報複合盤２２は、初期状態で動作するのに必要な初期データが予め記憶されている初期データ記憶部と、通常状態で動作するのに必要な設定データが記憶される設定データ記憶部とを含む記憶部５１ｂと、初期稼働時に初期データ記憶部から初期データを読み出し上記設定データとして設定データ記憶部に記憶するＣＰＵ５１ａとからなる監視制御部５１を備えている。【選択図】        図１
2004274235.tif 000002
【特許請求の範囲】
【請求項１】
共同住宅を構成する複数の住戸からなる住戸部と共用部との少なくとも住戸部の各部に設置され異状を検知する複数の検知器からの検知信号に基づいて、前記異状に応じて警報する共同住宅警報複合盤であって、
初期状態で動作するのに必要な初期データが予め記憶されている初期データ記憶手段と、
通常状態で動作するのに必要な設定データが記憶される設定データ記憶手段と、
初期稼働時に前記初期データ記憶手段から前記初期データを読み出して前記設定データ記憶手段に記憶する制御手段と
を備えていることを特徴とする共同住宅警報複合盤。
【請求項２】
作業者が操作するための操作手段を備え、
前記制御手段は、前記操作手段の操作により初期化が指示された場合には、前記設定データ記憶手段に記憶されている前記設定データを消去した後、前記初期データ記憶手段から前記初期データを読み出して前記設定データ記憶手段に記憶することを特徴とする請求項１記載の共同住宅警報複合盤。
【請求項３】
共同住宅を構成する複数の住戸からなる住戸部と共用部との少なくとも住戸部の各部に設置され異状を検知する複数の検知器からの検知信号に基づいて、前記異状に応じて警報する共同住宅警報複合盤であって、
前記共用部の各階ごとに設置される複数の地区ベルと、音声警報ユニット及び前記共用部の各階ごとに設置される複数のスピーカとのいずれか一方が接続可能に構成され、
通常状態で動作するのに必要な設定データとして、前記地区ベルによる警報と前記音声警報ユニットによる警報とを選択するための鳴動方式選択データを記憶する設定データ記憶手段と、
前記鳴動方式選択データが前記地区ベルによる警報の場合には、前記検知信号に基づいて異状発生階及び直上階に設置された前記地区ベルを鳴動させ、前記鳴動方式選択データが前記音声警報ユニットによる警報の場合には、前記検知信号に基づいて異状発生階を示す制御信号を前記音声警報ユニットに送信する制御手段と
を備えていることを特徴とする共同住宅警報複合盤。
【請求項４】
共同住宅を構成する複数の住戸からなる住戸部と共用部との少なくとも住戸部の各部に設置され異状を検知する複数の検知器からの検知信号に基づいて、前記異状に応じて警報する共同住宅警報複合盤であって、
前記住戸部と共用部との少なくとも前記住戸部の各部に設置される警報手段が接続され、
通常状態で動作するのに必要な設定データとして、異状発生場所の報知方法として近隣であること、階であること又は住戸であることのいずれかを選択するための報知方法選択データを記憶する設定データ記憶手段と、
前記報知方法選択データに基づいて、前記検知信号からの異状発生場所を前記警報手段から、前記近隣における異状発生、前記階における異状発生又は前記住戸における異状発生のいずれかの警報を発生させる制御手段と
を備えていることを特徴とする共同住宅警報複合盤。
【請求項５】
前記警報手段は、前記住戸部の各部に設置される住宅情報盤又は前記共用部の各階ごとに設置される複数のスピーカが接続される音声警報ユニットのいずれか又はこれらの組み合わせであることを特徴とする請求項４記載の共同住宅警報複合盤。
【請求項６】
前記検知器は、火災の発生を感知する火災感知器、ガス漏れを検知するガス漏れ検知器、窓の開放を検知する防犯スイッチ、緊急時に操作される非常呼出スイッチのいずれかであることを特徴とする請求項１乃至５のいずれか１に記載の共同住宅警報複合盤。
【請求項７】
請求項１乃至６のいずれか１に記載の共同住宅警報複合盤を備えていることを特徴とする共同住宅警報システム。
【請求項８】
コンピュータを請求項１乃至６のいずれか１に記載の前記制御手段として機能させるための共同住宅警報複合盤のデータベース設定プログラム。
【発明の詳細な説明】
【０００１】
【発明の属する技術分野】
この発明は、共同住宅警報複合盤、共同住宅警報システム及び共同住宅警報複合盤のデータベース設定プログラムに関し、詳しくは、初期データ、地区音響の制御方式、感知器作動時の鳴動方式等の各種データが設定可能な共同住宅警報複合盤、この共同住宅警報複合盤を備えた共同住宅警報システム及び共同住宅警報複合盤に各種データを設定するための共同住宅警報複合盤のデータベース設定プログラムに関する。
【０００２】
【従来の技術】
近年の共同住宅には、共同住宅警報システムが設けられているものがある。この共同住宅警報システムは、各住戸及び共用部に設けられた火災感知器等の各種検知器が火災等の発生を検知して各種検知信号を出力すると、制御盤である共同住宅警報複合盤が各種検知信号を受信し、火災等が発生した旨を表示するとともに、ベル等の音響装置を鳴動させて建物の中にいる人々に報知する設備である。また、この共同住宅警報システムは、防火防排煙機能も付与されている。ここで、共用部とは、集合玄関、ホール、廊下、機械室、集会室等、共同住宅の居住者が共同して使用する部分である。このような共同住宅警報システムを共同住宅に導入する際、共同住宅警報複合盤の鳴動制御の各種初期データを設定する必要があるが、従来では、工場出荷時に共同住宅警報複合盤に設けられたディップスイッチの各スイッチをオン状態又はオフ状態として予め初期データを設定していた。以下、この技術を第１の従来例と呼ぶ。
なお、先行技術調査を実施した限りでは、上述した従来技術の内容が具体的に記載された文献に関する情報は得られなかった。
【０００３】
また、従来の共同住宅警報システムでは、各階の廊下等の共用部に設置されて火災等を報知する手段（地区音響）として、地区ベル又は音声警報ユニットが用いられている。そして、このような従来の共同住宅警報システムでは、火災等の発生時にどの階の地区ベル又は音声警報ユニットを作動させるかについて、例えば、以下に示すようにマトリクス回路により予め設定されている。すなわち、この共同住宅警報システムは、音声警報ユニットを用いる例であり、図２０に示すように、住宅情報盤１と、火災感知器２と、中継器３と、中央監視盤（共同住宅警報複合盤）４と、ドアホン５と、住宅情報盤１のインターホン部６と、火災報知警報盤７とから概略構成されている。住宅情報盤１は、各住戸内に設けられており、対応する住戸内に設けられている火災感知器２からの火災感知信号を中継器３を介して受信すると、例えば、音声合成により音声警報を住戸内に出力するとともに警報表示を行う。
【０００４】
中継器３は、リレーＲＴを有する受信回路８を備え、いずれかの火災感知器２で火災感知が行われると、リレーＲＴが作動し、そのリレー接点ＲＴ１及びＲＴ２を閉じる。リレー接点ＲＴ１が閉じると、上記したように、住宅情報盤１で火災感知信号が受信され、火災警報が出される。一方、リレー接点ＲＴ２が閉じると、中央監視盤４の受信回路９が有するリレーＲＣが作動する。ここで、受信回路９及びリレーＲＣは、例えば、共同住宅の各階ごとに設けられており、ｎ階（ｎは自然数）からなる共同住宅の場合には、ｎ個の受信回路９及びｎ個のリレーＲＣ１〜ＲＣｎが個別に設けられる。中央監視盤４は、上記受信回路９と、音声合成回路１０と、パワーアンプ１１と、マトリクス回路１２とから構成されている。
【０００５】
音声合成回路１０は、受信回路９からの火災受信出力信号を受信すると、予め設定されている音声メッセージとなる音声信号を出力する。パワーアンプ１１は、上記音声信号を増幅し、ドアホン５及び火災報知警報盤７に供給する。マトリクス回路１２は、受信回路９を構成するリレーＲＣ１〜ＲＣｎが閉じることにより、音声警報をどの階のドアホン５より行うかが予め設定されている。例えば、火災が発生した階（火災発生階）及びその直上階に設置されているドアホン５から音声警報を出すようにマトリクス回路１２が設定される。例えば、１〜ｎ階にリレーＲＣ１〜ＲＣｎのリレー接点Ｒ１〜Ｒｎがそれぞれ設けられた場合、リレーＲＣ１〜ＲＣｎが閉じると、マトリクス回路１２は、電源より１〜ｎ階のリレー接点Ｒ１〜Ｒｎ及びダイオードＤ１〜Ｄｎを介して１〜ｎ階に設置されているドアホン５のスピーカ入力を切り換えるための切換制御信号をそれぞれ出力する。
【０００６】
ここで、上記したように、火災発生階及びその直上階に設置されているドアホン５から音声警報を出すためには、例えば、１階が火災発生階である場合、直上階は２階であるので、マトリクス回路１２は、ダイオードＤ１２によりリレー接点Ｒ１の出力端を２階に対応して設けられたダイオードＤ２の出力端に接続して構成される。これにより、リレー接点Ｒ１が閉じると、マトリクス回路１２は、ダイオードＤ１を介して１階のドアホン５に切換制御信号を供給するとともに、ダイオードＤ１２を介して２階のドアホン５に切換制御信号を供給する。
【０００７】
ドアホン５は、各階の各住戸のドアに設けられており、スピーカ１３の入力端を、中央監視盤４を構成するパワーアンプ１１からの信号ライン又はドアホン回路１４からの信号ラインのいずれかに切り換えるリレーＲＤを有している。すなわち、リレーＲＤは、定常監視状態ではドアホン回路１４側に接続されたリレー接点ＲＤ１及びＲＤ２を有している。火災受信時に中央監視盤４を構成するマトリクス回路１２からの切換制御信号を受信してリレーＲＤが作動すると、リレー接点ＲＤ１及びＲＤ２がパワーアンプ１１側に切り換えられる。マイク１５は、インターホン通話に用いられる。ドアホン５のリレーＲＤに接続されているマトリクス回路１２からの信号線は、同一階に設置されている他のドアホン５のリレーＲＤにも接続されている。
【０００８】
火災報知警報盤７は、各階の廊下等の共用部に設置されており、中央監視盤４を構成するパワーアンプ１１からの信号ラインをスピーカ１６の入力端に接続するためのリレーＲＢを有している。リレーＲＢは、中央監視盤４を構成するマトリクス回路１２からの切換制御信号を受信すると、作動してリレー接点ＲＢ１及びＲＢ２を閉じ、パワーアンプ１１からの音声信号をスピーカ１６に供給する。これにより、火災報知警報盤７からも音声警報が出力される（例えば、特許文献１参照。）。以下、この技術を第２の従来例と呼ぶ。
【０００９】
また、従来の共同住宅警報システムは、各住戸内に設置された火災感知器２が作動した場合、上記したように、火災発生階及び直上階において火災警報を出力するが、この際、ドアホン５のスピーカ１３や火災報知警報盤７のスピーカ１６から、火災発生場所を示す音声メッセージ、例えば、「ウーウー○○階が火事です」を出力することもできる（例えば、特許文献１参照。）。以下、この技術を第３の従来例と呼ぶ。
【００１０】
【特許文献１】
特開平５−２０５７３号公報（第３−５頁、図２）
【００１１】
【発明が解決しようとする課題】
ところで、共同住宅に共同住宅警報システムを設置した作業者は、通常、共同住宅警報システムの設置後、当該共同住宅固有の環境（例えば、住戸数や条例等）に適合させるために、各種のデータ（例えば、地区音響の制御方式、感知器作動時の鳴動方式等）を設定する。しかしながら、上記した第１の従来例においては、ディップスイッチの各スイッチをオン状態又はオフ状態として初期データを設定するため、工場出荷時にはごく限られた数の初期データしか設定できず、大部分のデータは、作業者が共同住宅警報システムを設置した後に１個ずつ設定しなければならなかった。このため、データの設定に手間と時間がかかり、共同住宅警報システムの設置から稼働まで時間を要する。特に、最近の多機能化の要請に伴って設定すべきデータが増加する傾向の下では、上記不都合が発生しやすい。この点、工場出荷時に多くのデータを初期データとして設定すべく、共同住宅警報複合盤に多くの個数のディップスイッチを設けることが考えられるが、この場合には、受注から工場出荷そして設置までに時間がかかってしまう。また、ディップスイッチは、数ミリ程度の小さい同一形状のスイッチが狭い間隔で並んでいるため、初期データ設定時に作業者が誤操作や誤設定をしてしまう場合があり、このことが共同住宅に共同住宅警報システムを設置した際の誤動作の原因となるおそれがある。
【００１２】
また、共同住宅警報システムの稼働が開始された後に、何らかの原因で不具合が発生した場合、共同住宅警報システムを初期の正常に動作する状態（初期動作状態）まで戻す必要がある。正常に動作することを確認して共同住宅警報システムを出荷するのが一般であるため、この正常動作状態とは、通常、初期データが設定された状態をいう。ところが、上記した第１の従来例においては、工場出荷時にはごく限られた数の初期データしか設定できないため、この段階まで共同住宅警報システムの状態を戻すと、不具合の原因究明後、稼働させるためにはさらに多くのデータを設定する必要があり、復旧まで時間がかかってしまう。
【００１３】
また、上記したように、従来の共同住宅警報システムでは、各階の廊下等の共用部に設置されて火災等を報知する手段（地区音響）として、地区ベル又は音声警報ユニットが用いられている。そして、上記した第２の従来例においては、火災等の発生時にどの階の地区ベル又は音声警報ユニットを作動させるかについて、上記したように、マトリクス回路１２により予め設定されている。このマトリクス回路の構成は、共同住宅の階数や棟数（１台の中央監視盤４で複数の棟を監視する場合）が異なれば当然異なるが、地区ベルの場合と音声警報ユニットの場合とにおいても異なってくる。というのは、警報を発する階を火災発生階及び直上階の両方にする場合であっても、地区ベルの場合には火災発生階及び直上階の両方に対応して配設された制御信号線に制御信号を供給する必要があるが、音声警報ユニットの場合には火災発生階に対応した制御信号線に制御信号を供給するだけで良いからである。したがって、共同住宅警報システムが導入される共同住宅ごとにマトリクス回路を用意する必要があり、面倒である。
【００１４】
さらに、上記した第３の従来例では、「ウーウー火事です」という音声メッセージだけでなく、火災発生場所を示す音声メッセージ、例えば、「ウーウー○○階が火事です」を出力できる。しかし、これらに対応した音声信号は、図２０に示す音声合成回路１０に予め設定しておく必要があり、面倒であった。また、共同住宅警報システムを導入する共同住宅の管理組合からの要望や、地方自治体の条例によると、火災発生場所として発生階だけでなく、火災が発生している住戸の住戸番号をも報知する必要がある。しかし、上記した第３の従来例では、共同住宅の各階ごとに設けられた受信回路９が各住戸に設置された火災感知器２からの火災感知信号を中継器３を介して受信するだけである。したがって、中央監視盤４は、火災が発生している住戸の住戸番号まで認識することはできず、上記要求に応えることができなかった。
【００１５】
この発明は、上述の事情に鑑みてなされたもので、多数の初期データを短時間かつ容易に設定できるとともに、稼働開始後何らかの原因で不具合が発生した場合でも、初期動作状態まで短時間で戻すことができる共同住宅警報複合盤、共同住宅警報システム及び共同住宅警報複合盤のデータベース設定プログラムを提供することを第１の目的としている。
また、この発明は、階数や棟数が異なる共同住宅に導入した場合や地区音響の方式が異なる場合であっても、短時間かつ容易に地区音響に関するデータを設定することができる共同住宅警報複合盤、共同住宅警報システム及び共同住宅警報複合盤のデータベース設定プログラムを提供することを第２の目的としている。さらに、この発明は、多様な音声警報に関するデータを簡単かつ容易に設定することができる共同住宅警報複合盤、共同住宅警報システム及び共同住宅警報複合盤のデータベース設定プログラムを提供することを第３の目的としている。
【００１６】
【課題を解決するための手段】
上記課題を解決するために、請求項１記載の発明は、共同住宅を構成する複数の住戸からなる住戸部と共用部との少なくとも住戸部の各部に設置され異状を検知する複数の検知器からの検知信号に基づいて、上記異状に応じて警報する共同住宅警報複合盤に係り、初期状態で動作するのに必要な初期データが予め記憶されている初期データ記憶手段と、通常状態で動作するのに必要な設定データが記憶される設定データ記憶手段と、初期稼働時に上記初期データ記憶手段から上記初期データを読み出して上記設定データ記憶手段に記憶する制御手段とを備えていることを特徴としている。
【００１７】
また、請求項２記載の発明は、請求項１記載の共同住宅警報複合盤に係り、作業者が操作するための操作手段を備え、上記制御手段は、上記操作手段の操作により初期化が指示された場合には、上記設定データ記憶手段に記憶されている上記設定データを消去した後、上記初期データ記憶手段から上記初期データを読み出して上記設定データ記憶手段に記憶することを特徴としている。
【００１８】
また、請求項３記載の発明は、共同住宅を構成する複数の住戸からなる住戸部と共用部との少なくとも住戸部の各部に設置され異状を検知する複数の検知器からの検知信号に基づいて、上記異状に応じて警報する共同住宅警報複合盤に係り、上記共用部の各階ごとに設置される複数の地区ベルと、音声警報ユニット及び上記共用部の各階ごとに設置される複数のスピーカとのいずれか一方が接続可能に構成され、通常状態で動作するのに必要な設定データとして、上記地区ベルによる警報と上記音声警報ユニットによる警報とを選択するための鳴動方式選択データを記憶する設定データ記憶手段と、上記鳴動方式選択データが上記地区ベルによる警報の場合には、上記検知信号に基づいて異状発生階及び直上階に設置された上記地区ベルを鳴動させ、上記鳴動方式選択データが上記音声警報ユニットによる警報の場合には、上記検知信号に基づいて異状発生階を示す制御信号を上記音声警報ユニットに送信する制御手段とを備えていることを特徴としている。
【００１９】
また、請求項４記載の発明は、共同住宅を構成する複数の住戸からなる住戸部と共用部との少なくとも住戸部の各部に設置され異状を検知する複数の検知器からの検知信号に基づいて、上記異状に応じて警報する共同住宅警報複合盤に係り、上記住戸部と共用部との少なくとも上記住戸部の各部に設置される警報手段が接続され、通常状態で動作するのに必要な設定データとして、異状発生場所の報知方法として近隣であること、階であること又は住戸であることのいずれかを選択するための報知方法選択データを記憶する設定データ記憶手段と、上記報知方法選択データに基づいて、上記検知信号からの異状発生場所を上記警報手段から、上記近隣における異状発生、上記階における異状発生又は上記住戸における異状発生のいずれかの警報を発生させる制御手段とを備えていることを特徴としている。
【００２０】
また、請求項５記載の発明は、請求項４記載の共同住宅警報複合盤に係り、上記警報手段は、上記住戸部の各部に設置される住宅情報盤又は上記共用部の各階ごとに設置される複数のスピーカが接続される音声警報ユニットのいずれか又はこれらの組み合わせであることを特徴としている。
【００２１】
また、請求項６記載の発明は、請求項１乃至５のいずれか１に記載の共同住宅警報複合盤に係り、上記検知器は、火災の発生を感知する火災感知器、ガス漏れを検知するガス漏れ検知器、窓の開放を検知する防犯スイッチ、緊急時に操作される非常呼出スイッチのいずれかであることを特徴としている。
【００２２】
また、請求項７記載の発明に係る共同住宅警報システムは、請求項１乃至６のいずれか１に記載の共同住宅警報複合盤を備えていることを特徴としている。
【００２３】
また、請求項８記載の発明に係る共同住宅警報複合盤のデータベース設定プログラムは、コンピュータを請求項１乃至６のいずれか１に記載の上記制御手段として機能させることを特徴としている。
【００２４】
【発明の実施の形態】
以下、図面を参照して、この発明の実施の形態について説明する。説明は、実施例を用いて具体的に行う。
図４は、この発明の一実施例である共同住宅警報複合盤を適用した共同住宅警報システムの構成を示す概略図である。
この例の共同住宅警報システムは、集合玄関機２１と、共同住宅警報複合盤２２と、住宅情報盤２３と、火災感知器２４及び２５と、ガス漏れ検知器２６と、防犯スイッチ２７と、非常呼出スイッチ２８と、ドアホン２９と、映像アダプタ３０と、伝送線３２〜３４と、通話線３５〜３７及び４１と、映像線３８〜４０と、制御線４２と、信号線４３〜４６及び４７１〜４７ｎと、制御信号線４８１〜４８ｎと、音声警報ユニット９１と、スピーカ９２と、音声出力線９３１〜９３ｎとから構成されている。ｎは自然数であり、共同住宅の階数ｎに対応している。
集合玄関機２１は、共同住宅の集合玄関等に設置され、共同住宅を構成する各住戸の居住者を訪問する者（訪問者）が操作して、所望の住戸の居住者又は管理室に駐在する管理員を呼び出すためのものである。この集合玄関機２１は、詳細に示さないが、マイクとスピーカとからなる通話器、訪問者の顔や姿等を撮影するカメラ、各住戸に付与されている住戸番号を入力するためのテンキー等を有している。集合玄関機２１は、伝送線３２及び３３、通話線３５及び３６並びに、映像線３８を介して共同住宅警報複合盤２２と接続されている。
【００２５】
共同住宅警報複合盤２２は、例えば、共同住宅の管理室等に設置され、集合玄関ドア解錠機能と、インターホン制御機能と、モニタ制御機能と、セキュリティ監視機能と、データベース設定機能と、各種の試験機能とを有している。共同住宅警報複合盤２２は、伝送線３３及び３４、通話線３６及び３７並びに、映像線３９、映像アダプタ３０及び映像線４０を介して各住宅情報盤２３と接続されている。
集合玄関ドア解錠機能は、集合玄関に設置されているオートロック型の集合玄関ドア（図示略）を解錠させる機能である。インターホン制御機能は、集合玄関機２１と、共同住宅警報複合盤２２、あるいは各住戸の内部に設置された住宅情報盤２３との間及び、各住戸の玄関のドア等に設置されたドアホン２９と対応する住宅情報盤２３との間における通話及び通信を制御する機能である。モニタ制御機能は、集合玄関機２１に備えられたカメラにより撮影された訪問者の顔や姿等の映像を、訪問者に指定された住戸に設置されている住宅情報盤２３を構成するテレビモニタ６６（図５参照）や共同住宅警報複合盤２２を構成するテレビモニタ５５（図１参照）に表示するための制御を行う機能である。セキュリティ監視機能は、各住戸に設置された火災感知器２４、ガス漏れ検知器２６、防犯スイッチ２７、非常呼出スイッチ２８の各検知信号が各住宅情報盤２３を介して供給されるとともに、共用部の各所に設置された火災感知器２５からの火災感知信号が供給されることにより、発生した異状に応じて警報する機能である。
【００２６】
データベース設定機能とは、共同住宅警報複合盤２２を含めた共同住宅警報システム全体を共同住宅に設置した後、共同住宅警報複合盤２２に電源を投入しデータベース設定モードとすることにより、各住宅情報盤２２が設置された住戸の住戸番号を獲得した後、初期データを自動的に読み出して設定し、地区音響の制御方式、感知器作動時の鳴動方式等の各種データを作業者が適宜設定可能な機能である。各種の試験機能としては、例えば、遠隔試験機能や火災試験機能がある。遠隔試験機能とは、作業者が試験的に、火災感知器２４並びに２５に熱源を近づける、あるいは煙代替物を噴出したり、ガス漏れ検知器２６に液化天然ガス等を噴霧したり、防犯スイッチ２７が取り付けられた窓を開けたり、あるいは非常呼出スイッチ２８を操作したりする代わりに、これらの検知器が自己の機能を作動させて、これらが正常に火災感知信号等の各種検知信号を出力するか否か、出力された各検知信号が伝送線３３並びに３４及び信号線４３〜４６並びに４７１〜４７ｎを介して共同住宅警報複合盤２２に正常に伝送されるか否かを確認する機能である。一方、火災試験機能とは、共同住宅警報複合盤２２の内部において、選択された住戸又は回線から火災感知信号が擬似的に供給されたとして、自己が正常に動作しているか否か、例えば、選択された住戸又は回線で火災が発生したことを表示する機能や表示内容などのデータ設定に関する機能などが正常に動作しているか否かを確認する機能である。ここで、回線とは、共用部における火災感知器２５の設置場所ごと等に配線され、例えば、信号線４７１に接続された複数個の火災感知器２５は１回線（１階）に属し、信号線４７２に接続された複数個の火災感知器２５は２回線（２階）に属する。なお、１本の信号線４７に対して火災感知器２５が１個接続されているとしても構わない。
【００２７】
住宅情報盤２３は、各住戸内部に設置されている。各住宅情報盤２３は、対応する住戸内部に設置された、火災感知器２４、ガス漏れ検知器２６、防犯スイッチ２７及び非常呼出スイッチ２８とそれぞれ信号線４３〜４６を介して接続されている。住宅情報盤２３は、火災感知器２４からの火災感知信号、ガス漏れ検知器２６からのガス漏れ検知信号、防犯スイッチ２７からの窓開放検知信号、非常呼出スイッチ２８からの非常呼出信号に、住戸番号を付加して伝送線３３及び３４を介して共同住宅警報複合盤２２に供給する。また、住宅情報盤２３は、住戸の玄関のドア等に設置されたドアホン２９と通話線４１及び制御線４２と接続され、住戸内部の居住者とドアの外にいる訪問者との通話を制御する。さらに、住宅情報盤２３は、共同住宅警報複合盤２２と通話線３６及び３７を介して接続されており、共同住宅警報複合盤２２がインターホン制御機能を実行することにより制御され、住戸内部の居住者と集合玄関にいる訪問者とを通話させる。また、住宅情報盤２３は、共同住宅警報複合盤２２と映像線３９及び映像アダプタ３０を介して接続されており、共同住宅警報複合盤２２がモニタ制御機能を実行することにより制御され、集合玄関機２１に備えられたカメラ（図示略）により撮影された訪問者の顔や姿等の映像に対応した映像信号が図５に示す住宅情報盤２３に供給されてテレビモニタ６６に訪問者の顔や姿等の映像を表示する。
【００２８】
火災感知器２４及び２５は、例えば、赤外線センサや温度センサ等のように熱式に火災が発生したことを感知したり、光電式センサやイオン化式センサ等のように煙式に火災が発生したことを感知して、火災感知信号を出力する。火災感知器２４は、各住戸に複数個設置されており、信号線４３を介して対応する住宅情報盤２３に接続されている。一方、火災感知器２５は、ｎ階建ての共同住宅の共用部にそれぞれ複数個設置されており、各階に配設された対応する信号線２７１〜２７ｎを介して共同住宅警報複合盤２２に接続されている。ガス漏れ検知器２６は、例えば、接触燃焼式ガスセンサや半導体式ガスセンサからなり、対応する住戸内の液化天然ガスやプロパンガスの漏れを検知して、ガス漏れ検知信号を出力する。ガス漏れ検知器２６は、各住戸内の例えば、ガスレンジ近傍に設置されており、信号線２４を介して対応する住宅情報盤２３に接続されている。
【００２９】
防犯スイッチ２７は、例えば、リードスイッチからなり、対応する住戸の窓に設置され、窓が開いていることを検知して、窓開放検知信号を出力する。防犯スイッチ２７は、信号線２５を介して住宅情報盤２３に接続されている。非常呼出スイッチ２８は、各住戸内の所定の場所に設置されており、緊急時に居住者等により操作されることにより、非常呼出信号を出力する。非常呼出スイッチ２８は、信号線２６を介して住宅情報盤２３に接続されている。ドアホン２９は、マイクとスピーカ等からなり、各住戸の玄関等に設置され、訪問者が対応する住戸内の居住者と通話をするために用いられる。映像アダプタ３０は、各住戸外の玄関近傍に設置され、対応する住宅情報盤２３に接続された映像線４０と映像線３９との接続及び切断を制御するものである。映像アダプタ３０が対応する住宅情報盤２３に接続された映像線４０を映像線３９と接続した場合には、集合玄関機２１からの映像信号が映像線４０を介して対応する住宅情報盤２３に供給される。
【００３０】
音声警報ユニット９１は、ｎ階建ての共同住宅の各階に対応して配設された制御信号線４８１〜４８ｎを介して共同住宅警報複合盤２２に接続されているとともに、共同住宅の各階に配設された音声出力線９３１〜９３ｎを介して各階の共用部の所定の場所にそれぞれ複数個設置されたスピーカ９２に接続されている。なお、音声警報ユニット９１を共同住宅警報複合盤２２の内部に設けて共同住宅警報複合盤２２と一体化しても良い。音声警報ユニット９１は、共同住宅警報複合盤２２から火災発生階に対応したいずれか１本の制御信号線４８１〜４８ｎを介して供給される制御信号に基づいて、火災発生階及び直上階を判別し、必要な音声出力線９３１〜９３ｎを選択して音声信号を供給する。これにより、音声信号が伝送された音声出力線に接続されたスピーカ９２から音声警報により火災の発生が住民等に報知される。この場合、後述するデータベース設定処理において、「メッセージ」の種類として「部屋」が選択設定された場合には、上記制御信号には火災が発生している住戸に付与された住戸番号が付加される。また、共用部の火災感知器２５から火災感知信号が共同住宅警報複合盤２２に供給された場合には、音声警報ユニット９１には、火災発生階に対応した制御信号線４８１〜４８ｎから制御信号が供給される。なお、共同住宅警報複合盤２２は、制御装置として、例えば、共用部等に充満している煤煙を屋外に排気する防排煙装置、共用部の天井から放水して火災を消火する消火装置等が接続可能に構成されており、火災発生時に制御する。
【００３１】
次に、共同住宅警報複合盤２２の構成について図１を参照して説明する。
共同住宅警報複合盤２２は、図１に示すように、監視制御部５１と、表示部５２と、操作部５３と、映像制御部５４と、テレビモニタ５５と、通話回路５６と、入出力制御回路５７と、送受話器５８と、スピーカ５９とから構成されている。監視制御部５１は、ＣＰＵ（中央処理装置）５１ａと記憶部５１ｂとを有し、ＣＰＵ５１ａが記憶部５１ｂを構成するプログラム記憶部５１ｂ１（図２参照）に記憶された各種プログラムを実行することにより、上記した集合玄関ドア解錠機能、インターホン制御機能、モニタ制御機能、セキュリティ監視機能、データベース設定機能、各種の試験機能を実行し、共同住宅警報複合盤２２の内部及び共同住宅警報システム全体を制御する。すなわち、例えば、この発明の実施例の特徴であるデータベース設定機能を例にとると、データベース設定プログラムが記憶部５１ｂを構成するプログラム記憶部５１ｂ１から読み出されてＣＰＵ５１ａに読み込まれ、ＣＰＵ５１ａの動作を制御する。ＣＰＵ５１ａは、データベース設定プログラムが起動されると、データベース設定プログラムの制御により、後述するデータベース設定処理を実行するのである。
【００３２】
記憶部５１ｂは、図２に示すように、プログラム記憶部５１ｂ１と、初期データ記憶部５１ｂ２と、設定データ記憶部５１ｂ３と、ワーキング記憶部５１ｂ４とから構成されている。プログラム記憶部５１ｂ１は、ＲＯＭからなり、上記したＣＰＵ５１ａが実行すべき各種プログラムが予め記憶されている。初期データ記憶部５１ｂ２は、ＲＯＭからなり、共同住宅警報システム全体が上記初期動作状態で動作するのに必要な初期データが予め記憶されている。なお、プログラム記憶部５１ｂ１及び初期データ記憶部５１ｂ２は、同一のＲＯＭの異なる記憶領域を構成しているとしても良い。設定データ記憶部５１ｂ３は、例えば、フラッシュメモリ等の書換可能な不揮発性の半導体メモリからなり、上記初期データ記憶部５１ｂ２から読み出された初期データや後述する初期住戸データが記憶されるとともに、作業者により設定された各種データが記憶される。ワーキング記憶部５１ｂ４は、ＲＡＭからなり、ＣＰＵ５１ａが上記した各種プログラムを実行する際に作業用として用いられる。このワーキング記憶部５１ｂ４には、後述するデータベース設定処理においては動作状態情報書込領域が設けられる。この動作状態情報書込領域は、共同住宅を構成する各住戸に設けられた住宅情報盤２３に付与された住戸番号をアドレスとして、当該住宅情報盤２３が動作状態にある場合に動作状態情報「１」が書き込まれるものである。なお、この動作状態情報書込領域には、初期値として、全住戸番号に対応して当該住宅情報盤２３が動作状態にないことを示す動作状態情報「０」が予め書き込まれるものとする。
【００３３】
表示部５２は、発光ダイオード（ＬＥＤ；Ｌｉｇｈｔ  Ｅｍｉｔｔｉｎｇ  Ｄｉｏｄｅ）や電球等からなる複数個の表示灯（図示略）と、ＬＣＤやエレクトロルミネセンス（ＥＬ：ｅｌｅｃｔｒｏｌｕｍｉｎｅｓｃｅｎｃｅ）ディスプレイ、あるいはプラズマディスプレイパネル（ＰＤＰ；Ｐｌａｓｍａ  Ｄｉｓｐｌａｙ  Ｐａｎｅｌ）等からなるディスプレイ５２ａ（図３参照）とを有している。複数個の表示灯及びディスプレイ５２ａには、監視制御部５１の制御の下、上記した各種の機能に関する各種の表示がなされる。操作部５３は、ディスプレイ５２ａ近傍に設けられたテンキー（図示略）、共同住宅警報複合盤２２内部に設けられた設定モードスイッチ及びＡＣ電源スイッチ（ともに図示略）や、図３に示すように、ディスプレイ５２ａの下部に設けられた、実行／メニュースイッチ５３ａ、終了／選択スイッチ５３ｂ、下降スイッチ５３ｃ、上昇スイッチ５３ｄ、諸警報スイッチ５３ｅ、火災警報スイッチ５３ｆ等を有し、上記した各種の機能を実行する際に用いられる。なお、上記各スイッチの機能については後述する。
【００３４】
映像制御部５４は、監視制御部５１がモニタ制御機能を実行することにより制御され、接続制御処理及び映像表示処理を行う。接続制御処理とは、集合玄関機２１に備えられたカメラにより撮影された訪問者の顔や姿等の映像に対応した映像信号を映像線３８を介して受信して、各住宅情報盤２３に映像線３９及び映像アダプタ３０を介して送信する処理である。一方、映像表示処理とは、共同住宅警報複合盤２２の盤面に設けられているテレビモニタ５５に上記映像信号に基づいた映像を表示する処理である。テレビモニタ５５は、ＣＲＴディスプレイ、ＬＣＤ、ＥＬディスプレイ、ＰＤＰ等からなり、訪問者の顔や姿等の映像等が表示される。
【００３５】
通話回路５６は、監視制御部５１がインターホン制御機能を実行することにより制御され、通話線３５及び３６上を伝送される音声信号及び送受話器５８から供給される音声信号を処理して、この共同住宅警報複合盤２２が設置された管理室等に駐在し送受話器５８を操作する管理員を、集合玄関にいる訪問者又は各住戸に在宅している居住者と通話させる。入出力制御回路５７は、ｎ階建ての共同住宅の共用部の各部に設置された火災感知器２５から信号線４７１〜４７ｎを介して供給される火災感知信号の受信を制御するとともに、火災発生階に対応した制御信号線４８１〜４８ｎを介して、必要に応じて火災が発生している住戸に付与された住戸番号を付加した制御信号を音声警報ユニット９１に供給する。なお、地区音響（個別移報）として地区ベルが設置されている場合には、入出力制御回路５７は、火災発生階及び直上階に対応した制御信号線を介して地区ベルに稼働電流を供給し、当該制御信号線に接続された地区ベルを鳴動させる。スピーカ５９は、監視制御部５１がセキュリティ監視機能を実行することにより供給される音響信号に基づいて、火災の発生、泥棒の侵入、ガス漏れ発生等をアラーム又は音声で報知する。
【００３６】
次に、住宅情報盤２３及びドアホン２９の構成について図５を参照して説明する。
住宅情報盤２３は、図５に示すように、制御部６１と、表示部６２と、操作部６３と、映像切換制御回路６４と、映像回路６５と、テレビモニタ６６と、警報音響回路６７と、通話切換回路６８と、通話回路６９と、送受話器７０と、警報受信回路７１と、スピーカ７２とから構成されている。制御部６１は、ＣＰＵ６１ａと記憶部６１ｂとを有し、ＣＰＵ６１ａが記憶部６１ｂに記憶された各種プログラムを実行することにより、各種伝送制御機能及び監視機能を実行する。各種伝送制御機能とは、住宅情報盤２３が伝送線３３及び３４を介して共同住宅警報複合盤２２に各種検知信号や自己が設置されている住戸に付与されている住戸番号を伝送したり、共同住宅警報複合盤２２から伝送線３３及び３４を介して伝送される各種制御信号を受信する機能である。一方、監視機能とは、住宅情報盤２３全体の動作を監視する機能である。制御部６１では、上記した監視制御部５１の場合と同様、例えば、ある伝送制御プログラムが記憶部６１ｂから読み出されてＣＰＵ６１ａに読み込まれ、ＣＰＵ６１ａの動作を制御する。ＣＰＵ６１ａは、その伝送制御プログラムが起動されると、伝送制御プログラムの制御により、上記した伝送制御機能を実行するのである。記憶部６１ｂは、ＲＯＭ、ＲＡＭ、あるいはフラッシュメモリ等の半導体メモリである。
【００３７】
表示部６２は、ＬＥＤや電球等からなる複数個の表示灯と、ＬＣＤやＥＬディスプレイ、あるいはＰＤＰ等からなるディスプレイとを有している。複数個の表示灯及びディスプレイには、制御部６１の制御の下、伝送制御機能及び監視機能に関する各種の表示がなされる。操作部６３は、呼出スイッチ、集合玄関ドア解錠スイッチ等を有している。呼出スイッチは、共同住宅警報複合盤２２が設置されている管理室に駐在している管理員を呼び出す際に操作される。集合玄関ドア解錠スイッチは、集合玄関に設置されているオートロック型のドアの解錠を指示する際に操作される。映像切換制御回路６４は、制御部６１の制御の下、映像アダプタ３０に対して映像線３９と映像線４０との接続／切断を切り換える切換信号を供給する。映像回路６５は、映像アダプタ３０が映像切換制御回路６４からの切換信号に基づき映像線３９と映像線４０とを接続した場合には、共同住宅警報複合盤２２からの映像信号に基づいて、集合玄関機２１のカメラで撮影された訪問者の顔や姿等の映像をテレビモニタ６６に表示する。テレビモニタ６６は、ＣＲＴディスプレイ、ＬＣＤ、ＥＬディスプレイ、ＰＤＰ等からなり、訪問者の顔や姿等の映像等が表示される。
【００３８】
警報音響回路６７は、図示せぬ記憶部、音声合成回路、デジタル・アナログ変換器、アンプ等を有しており、火災、ガス漏れ等の各種の警報を発すべき内容に対応した種類の音響信号、音声信号、音声合成信号を発生して、制御部６１及び通話切換回路６８に供給する。記憶部は、例えば、ＲＯＭ、ＲＡＭ、あるいはフラッシュメモリ等の半導体メモリからなり、火災、ガス漏れ等の各種の警報を発すべき内容に対応した種類の音響データ及び音声データが記憶されている。音声合成回路は、記憶部から読み出される音声データに基づいて音声合成を行い音声合成データを出力する。デジタル・アナログ変換器は、記憶部から読み出される音響データ又は音声データ、あるいは音声合成回路から供給される音声合成データをアナログの音響信号、音声信号、音声合成信号に変換する。アンプは、音響信号、音声信号、音声合成信号を増幅する。
【００３９】
通話切換回路６８は、制御部６１の制御の下、通話線３７又は通話線４１と通話回路６９との接続／切断を切り換えるとともに、警報音響回路６７から供給される音響信号、音声信号、音声合成信号や通話回路６９から供給される音声信号を通話線４１を介してドアホン２９に供給する。通話回路６９は、通話切換回路６８が通話線３７と通話回路６９とを接続した場合には、通話線３６及び３７上を伝送される音声信号及び送受話器７０から供給される音声信号を処理して、この住宅情報盤２３が設置された住戸に在宅していて送受話器７０を操作する居住者を、集合玄関にいる訪問者と通話させる。一方、通話切換回路６８が通話線４１と通話回路６９とを接続した場合には、通話回路６９は、通話線４１上を伝送される音声信号及び送受話器７０から供給される音声信号を処理して、当該居住者を当該住戸のドアの外にいる訪問者と通話させる。警報受信回路７１は、当該住戸の各部に設置された火災感知器２４、ガス漏れ検知器２６、防犯スイッチ２７、非常呼出スイッチ２８から信号線４３〜４６を介してそれぞれ供給される火災感知信号、ガス漏れ検知信号、窓開放検知信号又は非常呼出信号の受信を監視し、受信した場合にはその旨を制御部６１に通知する。スピーカ７２は、制御部６１から供給される音響信号、音声信号、音声合成信号に基づいて、火災の発生、泥棒の侵入、ガス漏れ発生等をアラーム又は音声で報知する。
【００４０】
また、ドアホン２９は、図５に示すように、呼出スイッチ８１と、マイク８２と、スピーカ８３と、通電表示灯８４とから構成されている。呼出スイッチ８１は、訪問者等により操作されることにより、呼出信号を出力する。マイク８２は、訪問者等が発生する音声を音声信号に変換する。スピーカ８３は、住宅情報盤２３から供給される音響信号、音声信号、音声合成信号に基づいて、居住者の音声を放出するとともに、火災の発生、泥棒の侵入、ガス漏れ発生等をアラーム又は音声で報知する。通電表示灯８４は、例えば、ＬＥＤや電球等からなり、ドアホン２９に電源が投入されていることを表示する。
【００４１】
次に、上記構成の共同住宅警報システムにおける共同住宅警報複合盤２２が実行する各種機能の概略について説明する。
（１）インターホン制御機能
訪問者が、例えば、共同住宅の８０１号室の居住者を呼び出すために、集合玄関機２１を構成するテンキーの「８」、「０」、「１」を順次操作した上で、図示しない呼出スイッチを操作すると、集合玄関機２１は、８０１号室を呼び出すための呼出信号を共同住宅警報複合盤２２に送信する。上記呼出信号を受信した共同住宅警報複合盤２２が上記呼出信号を伝送線３３を介して８０１号室の住戸に設置された住宅情報盤２３に送信すると、当該住宅情報盤２３は、上記呼出信号を受信したことを示す応答信号を伝送線３３を介して共同住宅警報複合盤２２に送信する。上記応答信号を受信した共同住宅警報複合盤２２は、集合玄関機２１及び８０１号室の住宅情報盤２３に対して、これらを通話線３５、３６及び３７を介して接続するための接続信号を送信する。この結果、上記接続信号を受信した集合玄関機２１と８０１号室の住宅情報盤２３とが通話線３５、３６及び３７を介して接続され、通話経路が形成される。これにより、訪問者は、８０１号室の居住者と話をすることができる。
【００４２】
（２）モニタ制御機能
上記インターホン制御機能が実行されることにより上記接続信号を受信した８０１号室の住宅情報盤２３は、映像線４０及び映像アダプタ３０を介して映像線３９と接続する。この結果、集合玄関機２１と８０１号室の住宅情報盤２３とが映像線３８、共同住宅警報複合盤２２、映像線３９、映像アダプタ３０及び映像線４０を介して接続され、映像信号経路が形成される。これにより、訪問者の顔や姿等の映像に対応した映像信号が集合玄関機２１から上記映像信号経路を介して８０１号室の住宅情報盤２３に送信されるので、８０１号室の居住者は、訪問者の顔や姿等の映像を視ることができる。
【００４３】
（３）セキュリティ監視機能
▲１▼  火災警報制御機能
ある住戸（例えば、５０３号室）内に設置されている火災感知器２４が作動して火災感知信号を対応する住宅情報盤２３に送信したとする。これにより、上記火災感知信号を受信した当該住宅情報盤２３は、上記火災感知信号に住戸番号（今の場合、「５０３」）を付加した火災信号を伝送線３３及び３４を介して共同住宅警報複合盤２２に送信する。上記火災信号を受信した共同住宅警報複合盤２２は、上記火災信号に含まれている住戸番号（今の場合、「５０３」）及び火災が発生している旨を表示部５２に表示したり、スピーカ５９等により警報を発したりするとともに、上記住戸番号（今の場合、「５０３」）及び鳴動方式を付加した警報信号を伝送線３３を介して送信する。これにより、上記警報信号を受信した、共同住宅を構成する各住戸に設置されている住宅情報盤２３は、上記警報信号に付加されている住戸番号（今の場合、「５０３」）を読みとる。そして、火災が発生している階（今の場合、５階）に存在するすべての住戸及び、その直上階（今の場合、６階）に存在するすべての住戸にそれぞれ設置されている住宅情報盤２３は、上記住戸番号（今の場合、「５０３」）及び上記鳴動方式に基づいて、スピーカ７２から火災警報を発する。また、共同住宅警報複合盤２２は、入出力制御回路５７及び火災発生階に対応した制御信号線４８１〜４８ｎを介して制御信号を出力し、音声警報ユニット９１に供給する。これにより、音声警報ユニット９１は、上記制御信号に基づいて、火災発生階及び直上階を判別し、必要な音声出力線９３１〜９３ｎを選択して音声信号を供給する。したがって、音声信号が伝送された音声出力線に接続されたスピーカ９２から音声警報により火災の発生が住民等に報知される。なお、入出力制御回路５７に信号線４７１〜４７ｎを介していずれかの火災感知器２５から火災感知信号が入力された場合にも、信号線４７１〜４７ｎそれぞれに設定される設置階を判別して、上記同様の火災発生階及び直上階に警報を発する動作を行う。
【００４４】
▲２▼  諸警報制御機能
ある住戸（例えば、３０２号室）内に設置されているガス漏れ検知器２６、防犯スイッチ２７、あるいは非常呼出スイッチ２８が作動してガス漏れ検知信号、窓開放検知信号、あるいは非常呼出信号を対応する住宅情報盤２３に送信したとする。これにより、上記ガス漏れ検知信号、上記窓開放検知信号、あるいは上記非常呼出信号を受信した当該住宅情報盤２３は、上記ガス漏れ検知信号、上記窓開放検知信号、あるいは上記非常呼出信号に住戸番号（今の場合、「３０２」）を付加したセキュリティ信号を伝送線３３及び３４を介して共同住宅警報複合盤２２に送信する。上記セキュリティ信号を受信した共同住宅警報複合盤２２は、上記セキュリティ信号に含まれている住戸番号（今の場合、「３０２」）及び上記セキュリティ信号の種別等を表示部５２に表示したり、スピーカ５９等により警報を発したりする。
【００４５】
次に、共同住宅警報複合盤２２が実行するデータベース設定処理の詳細について、図６〜図９に示すフローチャート及び図３、図１０〜図１７に示す画面表示例を参照して説明する。
まず、図６に示すステップＳＰ１では、共同住宅警報複合盤２２を構成する監視制御部５１のＣＰＵ５１ａは、データベース設定モードが設定されたか否かを判断する。ＣＰＵ５１ａは、この判断を、共同住宅警報複合盤２２内部に設けられた設定モードスイッチ（図示略）が所定時間押下されつつ、ＡＣ電源スイッチ（図示略）がオンされたか、あるいは上記ＡＣ電源スイッチ（図示略）が単にオンされたか否かにより行う。したがって、ＡＣ電源スイッチ（図示略）がオンされた際に設定モードスイッチの所定時間の押下を検知した場合には、ステップＳＰ１の判断結果が「ＹＥＳ」となり、ＣＰＵ５１ａは、設定モード灯（図示略）を点灯させた後、ステップＳＰ２へ進む。一方、上記ＡＣ電源スイッチ（図示略）が単にオンされたと検知した場合には、ステップＳＰ１の判断結果が「ＮＯ」となり、ＣＰＵ５１ａは、ステップＳＰ９へ進む。なお、ステップＳＰ１の判断結果が「ＹＥＳ」の場合、ＣＰＵ５１ａは、詳細には説明しないが、電源が投入されていて監視状態になっている住宅情報盤２３をピックアップし、初期データ設定の対象として登録する。
【００４６】
ステップＳＰ２では、ＣＰＵ５１ａは、伝送線３３及び３４を介して接続された各住戸に設置された住宅情報盤２３に対し、信号伝送の有無によって、動作しているか否かの動作状態を得るための動作確認信号を送信した後、ステップＳＰ３へ進む。これにより、各住宅情報盤２３は、伝送線３３及び３４を介して上記動作確認信号の入力を検知した場合には、応答信号に自己に付与された住戸番号を付加して伝送線３３及び３４を介して住宅情報盤２３に送信する。ステップＳＰ３では、ＣＰＵ５１ａは、伝送線３３及び３４を介して応答信号の入力を検知したか否かを判断する。この判断結果が「ＹＥＳ」の場合には、ＣＰＵ５１ａは、ステップＳＰ４へ進む。ステップＳＰ４では、ＣＰＵ５１ａは、検知した応答信号に付加された住戸番号をアドレスとして、記憶部５１ｂを構成するワーキング記憶部５１ｂ４に設けられた動作状態情報書込領域にアクセスして、当該住戸番号の動作状態情報「１」を書き込んだ後、ステップＳＰ５へ進む。一方、ステップＳＰ３の判断結果が「ＮＯ」の場合、すなわち、伝送線３３及び３４を介して応答信号の入力を検知しなかった場合には、ＣＰＵ５１ａは、何もせず、ステップＳＰ５へ進む。
【００４７】
ステップＳＰ５では、ＣＰＵ５１ａは、全住戸について上記したステップＳＰ４の動作状態情報書込処理が終了したか否かを判断する。この判断結果が「ＮＯ」の場合には、ＣＰＵ５１ａは、ステップＳＰ２へ戻り、上記したステップＳＰ２〜ＳＰ４の処理を繰り返す。そして、全住戸についてステップＳＰ２の処理で動作確認信号出力を行った結果、応答信号入力があった住戸についてステップＳＰ４の動作状態情報書込処理が終了すると、ステップＳＰ５の判断結果が「ＹＥＳ」となり、ＣＰＵ５１ａは、ステップＳＰ６へ進む。ステップＳＰ６では、ＣＰＵ５１ａは、ワーキング記憶部５１ｂ４に設けられた動作状態情報書込領域に書き込まれた全住戸の動作状態情報（住戸番号に対応した「１」又は「０」）を読み出し、記憶部５１ｂを構成する設定データ記憶部５１ｂ３に設けられた初期住戸データ設定領域に全住宅情報盤２３の初期住戸データとして記憶する。この時、ＣＰＵ５１ａは、設定データ記憶部５１ｂ３を構成する初期住戸データ設定領域に記憶された初期住戸データに基づいて各住宅情報盤２３の住戸番号を表示部５２を構成するディスプレイ５２ａ上に表示する。なお、ＣＰＵ５１ａは、初期住戸データとして動作状態情報「０」が設定されている住戸番号については点滅させて住宅情報盤２３が動作していない旨を報知する。また、ＣＰＵ５１ａは、初期住戸データとして動作状態情報「１」が設定されている住戸について、初期データ記憶部５１ｂ２から共同住宅警報システム全体が上記初期動作状態で動作するのに必要な初期データを読み出し、記憶部５１ｂを構成する設定データ記憶部５１ｂ３に設けられた初期動作データ設定領域に初期動作データとして記憶した後、ステップＳＰ７へ進む。
【００４８】
ステップＳＰ７では、ＣＰＵ５１ａは、当該共同住宅固有の環境（例えば、住戸数や条例等）に適合させるための各種のデータ（例えば、地区音響の制御方式、感知器作動時の鳴動方式等）を設定する個別データ設定処理を実行した後、ステップＳＰ８へ進む。なお、個別データ設定処理の詳細については後述する。ステップＳＰ８では、ＣＰＵ５１ａは、このデータベース設定モードを終了するか否かを判断する。ＣＰＵ５１ａは、この判断を、共同住宅警報複合盤２２内部に設けられたＡＣ電源スイッチ（図示略）がオフされたか否かにより行う。したがって、ＡＣ電源スイッチ（図示略）のオフを検知した場合には、ステップＳＰ８の判断結果が「ＹＥＳ」となり、ＣＰＵ５１ａは、データベース設定モードを終了する。一方、ステップＳＰ８の判断結果が「ＮＯ」の場合、すなわち、ＡＣ電源スイッチ（図示略）のオフを検知しなかった場合には、ＣＰＵ５１ａは、ステップＳＰ７へ戻る。また、ステップＳＰ９では、ＣＰＵ５１ａは、通常の監視処理を実行した後、一連の処理を終了する。なお、通常の監視処理については、この発明と直接関係しないので、その説明を省略する。
【００４９】
次に、個別データ設定処理について、図７〜図９に示すフローチャート及び図３、図１０〜図１７に示す画面表示例を参照して説明する。
まず、図７に示すステップＳＰ１１では、ＣＰＵ５１ａは、共同住宅警報複合盤２２を構成する表示部５２のディスプレイ５２ａに、図３に示すデータ設定画面を表示した後、ステップＳＰ１２へ進む。図３の例では、表示画面の右端から約３分の１の領域に上から順に、データ設定画面であることを示す「＊データ設定＊」が表示されているとともに、選択項目として、「受信機共通」、「火災回線」、「応答回線」、「諸表示回線」、「住戸登録」、「ＳＰ制御」、「出火制御」、「移報接点」、「初期設定」が表示されている。これらの選択項目のうち、選択項目「出火制御」及び「初期設定」以外の選択項目はこの発明と直接関係しないので、その説明を省略する。また、図３に示す表示画面例の下辺近傍には、白抜きの上向き三角マーク△及び下向き三角マーク▽が並べて表示されているとともに、「実行」及び「終了」という文字が白抜きで表示されている。これは、図３に示す、ディスプレイ５２ａの下部に設けられた各種スイッチのうち、実行／メニュースイッチ５３ａ、終了／選択スイッチ５３ｂ、下降スイッチ５３ｃ、上昇スイッチ５３ｄの機能のみが有効であって、かつ、機能が兼用されている実行／メニュースイッチ５３ａについては実行スイッチとして機能し、機能が兼用されている終了／選択スイッチ５３ｂについては終了スイッチとして機能することを表している。図３に示す表示画面例下辺近傍の表示の意味については、図１０、図１１及び図１７において同様である。
【００５０】
ステップＳＰ１２では、ＣＰＵ５１ａは、上記した選択項目「出火制御」が選択されたか否かを判断する。この判断は以下に示すように行われる。すなわち、下降スイッチ５３ｃ又は上昇スイッチ５３ｄが操作されるごとに、上記した各選択項目の左側に表示されている菱形マーク「◇」のいずれか１つが順次反転表示となり、対応する選択項目が選択可能な状態であることが示される。そこで、作業者が、下降スイッチ５３ｃ又は上昇スイッチ５３ｄを操作して、選択項目「出火制御」の左側に表示されている菱形マーク「◇」を反転表示させた（図１０参照）後、実行／メニュースイッチ５３ａを操作すると、ＣＰＵ５１ａは、上記した選択項目「出火制御」が選択されたと判断する。ステップＳＰ１２の判断結果が「ＹＥＳ」の場合には、ＣＰＵ５１ａは、ステップＳＰ１３へ進む。
一方、ステップＳＰ１２の判断結果が「ＮＯ」の場合、すなわち、上記した選択項目「出火制御」が選択されなかった場合には、ＣＰＵ５１ａは、図９に示すステップＳＰ３６へ進む。
【００５１】
ステップＳＰ１３では、ＣＰＵ５１ａは、ディスプレイ５２ａに、図１１に示す出火階制御画面を表示した後、ステップＳＰ１４へ進む。図１１の例では、表示画面の右端から約３分の１の領域に、出火階制御画面であることを示す「＊出火制御＊」が表示されているとともに、出火階制御の選択項目として、「個別移報」、「メッセージ」が表示されている。一方、図１１において、表示画面の左端から約３分の２の領域の上部第１段目には、「出火階制御設定」と表示されており、出火階制御であることが示されている。また、表示画面の左端から約３分の２の領域の上部第２及び第３段目には、「個別移報」及び「音声警報ユニット／地区ベル」と表示されており、個別移報の設定であること及び個別移報の種類として「音声警報ユニット」又は「地区ベル」のいずれか一方が選択可能であることが示されている。さらに、表示画面の左端から約３分の２の領域のほぼ中央部に２段にわたって、「メッセージ」及び「近隣  ／  階  ／  部屋」と表示されており、個別移報として「音声警報ユニット」が選択された場合には「近隣」、「階」又は「部屋」のいずれか１つが選択可能であることが示されている。また、表示画面の左端から約３分の２の領域の下部に２段にわたって、「制御方法」及び「階制御」と表示されており、個別移報の制御方法として予め「階制御」が設定されていることが示されている。図１１に示す表示画面例左端から約３分の２の領域の表示の意味については、図１２〜図１６において同様である。また、図１１において、表示画面の左端から約３分の２の領域では、「音声警報ユニット」及び「階」が反転表示されている。これは、「個別移報」の種類としては「音声警報ユニット」が、「メッセージ」の種類として「階」が、上記した初期データ設定処理（図６のステップＳＰ６参照）により設定データ記憶部５１ｂ３の初期動作データ設定領域に記憶された初期動作データに基づいてそれぞれ初期設定されていることを示している。
【００５２】
ステップＳＰ１４では、ＣＰＵ５１ａは、上記した選択項目「個別移報」が選択されたか否かを判断する。この判断は以下に示すように行われる。すなわち、下降スイッチ５３ｃ又は上昇スイッチ５３ｄが操作されるごとに、上記した各選択項目の左側に表示されている菱形マーク「◇」のいずれか１つが順次反転表示となり、対応する選択項目が選択可能な状態であることが示される。そこで、作業者が、下降スイッチ５３ｃ又は上昇スイッチ５３ｄを操作して、表示画面の右端から約３分の１の領域において選択項目「個別移報」の左側に表示されている菱形マーク「◇」を反転表示させた後、実行／メニュースイッチ５３ａを操作すると、ＣＰＵ５１ａは、上記した選択項目「個別移報」が選択されたと判断する。ステップＳＰ１４の判断結果が「ＹＥＳ」の場合には、ＣＰＵ５１ａは、ステップＳＰ１５へ進む。
一方、ステップＳＰ１４の判断結果が「ＮＯ」の場合、すなわち、上記した選択項目「個別移報」が選択されなかった場合には、ＣＰＵ５１ａは、図８に示すステップＳＰ２４へ進む。
【００５３】
ステップＳＰ１５では、ＣＰＵ５１ａは、ディスプレイ５２ａに、図１２に示すように、表示画面の右端から約３分の１の領域において選択項目「個別移報」の左側に表示されている菱形マーク「◇」を反転表示するとともに、初期設定として表示画面の左端から約３分の２の領域において「音声警報ユニット」を反転表示、すなわち、音声警報ユニットが選択可能な状態であることを表示したまま、ステップＳＰ１６へ進む。図１２に示す表示画面例の下辺近傍には、白抜きの上向き三角マーク△及び下向き三角マーク▽が並べて表示されているとともに、「選択」及び「実行」という文字が白抜きで表示されている。これは、図１２に示す、ディスプレイ５２ａの下部に設けられた各種スイッチのうち、実行／メニュースイッチ５３ａ、終了／選択スイッチ５３ｂ、下降スイッチ５３ｃ、上昇スイッチ５３ｄの機能のみが有効であって、かつ、機能が兼用されている実行／メニュースイッチ５３ａについては実行スイッチとして機能し、機能が兼用されている終了／選択スイッチ５３ｂについては選択スイッチとして機能することを表している。図１２に示す表示画面例下辺近傍の表示の意味については、図１３〜図１６において同様である。
【００５４】
ステップＳＰ１６では、ＣＰＵ５１ａは、終了／選択スイッチ５３ｂが操作されたか否かを判断する。この判断結果が「ＹＥＳ」の場合には、ＣＰＵ５１ａは、ステップＳＰ１７へ進む。ステップＳＰ１７では、ＣＰＵ５１ａは、図１３に示すように、表示画面の右端から約３分の１の領域において選択項目「個別移報」の左側に表示されている菱形マーク「◇」を反転表示している状態において、表示画面の左端から約３分の２の領域において「地区ベル」を反転表示する、すなわち、地区ベルが選択可能な状態であることを表示した後、ステップＳＰ１８へ進む。ステップＳＰ１８では、ＣＰＵ５１ａは、終了／選択スイッチ５３ｂが操作されたか否かを判断する。この判断結果が「ＹＥＳ」の場合には、ＣＰＵ５１ａは、ステップＳＰ１５へ戻る。すなわち、ステップＳＰ１５〜ＳＰ１８の処理は、作業者が終了／選択スイッチ５３ｂを操作するごとに、図１２に示す表示画面と図１３に示す表示画面とを交互に表示することにより、「個別移報」の種類として「音声警報ユニット」又は「地区ベル」のいずれか一方を容易に選択可能であることを示している。
【００５５】
一方、ステップＳＰ１６及びＳＰ１８の判断結果が「ＮＯ」の場合、すなわち、終了／選択スイッチ５３ｂが操作されなかった場合には、ＣＰＵ５１ａは、ステップＳＰ１９へ進む。ステップＳＰ１９では、ＣＰＵ５１ａは、実行／メニュースイッチ５３ａが操作されたか否かを判断する。この判断結果が「ＮＯ」の場合には、ＣＰＵ５１ａは、ステップＳＰ１６へ戻り、終了／選択スイッチ５３ｂ又は実行／メニュースイッチ５３ａが操作されたか否かの判断を繰り返す。そして、作業者が、実行／メニュースイッチ５３ａを操作すると、ステップＳＰ１９の判断結果が「ＹＥＳ」となり、ＣＰＵ５１ａは、ステップＳＰ２０へ進む。ステップＳＰ２０では、ＣＰＵ５１ａは、「個別移報」の種類として「音声警報ユニット」（ステップＳＰ１５、ＳＰ１６及びＳＰ１９のルート）又は「地区ベル」（ステップＳＰ１７〜ＳＰ１９のルート）を設定する、具体的には、図２に示すワーキング記憶部５１ｂ４の所定の記憶領域に「個別移報」の種類として「音声警報ユニット」又は「地区ベル」を選択するための鳴動方式選択データを記憶した後、ステップＳＰ２１へ進む。
【００５６】
ステップＳＰ２１では、ＣＰＵ５１ａは、終了／選択スイッチ５３ｂが選択されたか否かを判断する。この判断結果が「ＮＯ」の場合には、ＣＰＵ５１ａは、ステップＳＰ１４へ戻り、終了／選択スイッチ５３ｂで選択された処理へ進む。一方、ステップＳＰ２１の判断結果が「ＹＥＳ」の場合、すなわち、終了／選択スイッチ５３ｂが選択された場合には、ＣＰＵ５１ａは、ステップＳＰ２２へ進む。ステップＳＰ２２では、ＣＰＵ５１ａは、実行／メニュースイッチ５３ａが操作されたか否かを判断する。この判断結果が「ＮＯ」の場合には、ＣＰＵ５１ａは、同判断を繰り返す。そして、作業者が、実行／メニュースイッチ５３ａを操作すると、ステップＳＰ２２の判断結果が「ＹＥＳ」となり、ＣＰＵ５１ａは、ステップＳＰ２３へ進む。ステップＳＰ２３では、ＣＰＵ５１ａは、「個別移報」の種類の設定データとして「音声警報ユニット」又は「地区ベル」を更新する。ＣＰＵ５１ａは、具体的には、ステップＳＰ２０の処理において図２に示す記憶部５１ｂを構成するワーキング記憶部５１ｂ４の所定の記憶領域に記憶した「音声警報ユニット」又は「地区ベル」を選択するための鳴動方式選択データを図２に示す記憶部５１ｂを構成する設定データ記憶部５１ｂ３の初期動作データ設定領域にオーバーライトする。そして、ＣＰＵ５１ａは、図６に示すデータベース設定処理に戻り、ステップＳＰ８へ進む。
【００５７】
次に、図８に示すステップＳＰ２４では、ＣＰＵ５１ａは、上記した選択項目「メッセージ」が選択されたか否かを判断する。この判断は以下に示すように行われる。すなわち、下降スイッチ５３ｃ又は上昇スイッチ５３ｄが操作されるごとに、上記した各選択項目の左側に表示されている菱形マーク「◇」のいずれか１つが順次反転表示となり、対応する選択項目が選択可能な状態であることが示される。そこで、作業者が、下降スイッチ５３ｃ又は上昇スイッチ５３ｄを操作して、表示画面の右端から約３分の１の領域において選択項目「メッセージ」の左側に表示されている菱形マーク「◇」を反転表示させた後、実行／メニュースイッチ５３ａを操作すると、ＣＰＵ５１ａは、上記した選択項目「メッセージ」が選択されたと判断する。ステップＳＰ２４の判断結果が「ＹＥＳ」の場合には、ＣＰＵ５１ａは、ステップＳＰ２５へ進む。
一方、ステップＳＰ２４の判断結果が「ＮＯ」の場合、すなわち、上記した選択項目「メッセージ」が選択されなかった場合には、ＣＰＵ５１ａは、図７に示すステップＳＰ１４へ戻る。
【００５８】
ステップＳＰ２５では、ＣＰＵ５１ａは、ディスプレイ５２ａに、図１４に示すように、表示画面の右端から約３分の１の領域において選択項目「メッセージ」の左側に表示されている菱形マーク「◇」及び表示画面の左端から約３分の２の領域において「個別移報」の種類として「音声警報ユニット」を反転表示している状態において、「メッセージ」の種類として「階」を反転表示する、すなわち、各住戸の火災発生階及び直上階に対する警報時に、火災発生場所として「階」（例えば、「５階で火災が発生しています。」というメッセージ）が選択可能な状態であることを表示した後、ステップＳＰ２６へ進む。ステップＳＰ２６では、ＣＰＵ５１ａは、終了／選択スイッチ５３ｂが操作されたか否かを判断する。この判断結果が「ＹＥＳ」の場合には、ＣＰＵ５１ａは、ステップＳＰ２７へ進む。
【００５９】
ステップＳＰ２７では、ＣＰＵ５１ａは、図１５に示すように、表示画面の右端から約３分の１の領域において選択項目「メッセージ」の左側に表示されている菱形マーク「◇」及び表示画面の左端から約３分の２の領域において「個別移報」の種類として「音声警報ユニット」を反転表示している状態において、「メッセージ」の種類として「部屋」を反転表示する、すなわち、各住戸の火災発生階及び直上階に対する警報時に、火災発生場所として「部屋」（例えば、「８０５号室で火災が発生しています。」というメッセージ）が選択可能な状態であることを表示した後、ステップＳＰ２８へ進む。ステップＳＰ２８では、ＣＰＵ５１ａは、終了／選択スイッチ５３ｂが操作されたか否かを判断する。この判断結果が「ＹＥＳ」の場合には、ＣＰＵ５１ａは、ステップＳＰ２９へ進む。
【００６０】
ステップＳＰ２９では、ＣＰＵ５１ａは、図１６に示すように、表示画面の右端から約３分の１の領域において選択項目「メッセージ」の左側に表示されている菱形マーク「◇」及び表示画面の左端から約３分の２の領域において「個別移報」の種類として「音声警報ユニット」を反転表示している状態において、「メッセージ」の種類として「近隣」を反転表示する、すなわち、各住戸の火災発生階及び直上階に対する警報時に、火災発生場所として「近隣」（例えば、「この近所で火災が発生しています。」というメッセージ）が選択可能な状態であることを表示した後、ステップＳＰ３０へ進む。ステップＳＰ３０では、ＣＰＵ５１ａは、終了／選択スイッチ５３ｂが操作されたか否かを判断する。この判断結果が「ＹＥＳ」の場合には、ＣＰＵ５１ａは、ステップＳＰ２５へ戻る。すなわち、ステップＳＰ２５〜ＳＰ３０の処理は、作業者が終了／選択スイッチ５３ｂを操作するごとに、図１４に示す表示画面と、図１５に示す表示画面と、図１６に示す表示画面とを交互に表示することにより、「メッセージ」の種類として「階」、「部屋」又は「近隣」のいずれかを容易に選択可能であることを示している。
【００６１】
一方、ステップＳＰ２６、ＳＰ２８及びＳＰ３０の判断結果が「ＮＯ」の場合、すなわち、終了／選択スイッチ５３ｂが操作されなかった場合には、ＣＰＵ５１ａは、ステップＳＰ３１へ進む。ステップＳＰ３１では、ＣＰＵ５１ａは、実行／メニュースイッチ５３ａが操作されたか否かを判断する。この判断結果が「ＮＯ」の場合には、ＣＰＵ５１ａは、ステップＳＰ２５へ戻り、終了／選択スイッチ５３ｂ又は実行／メニュースイッチ５３ａが操作されたか否かの判断を繰り返す。そして、作業者が、実行／メニュースイッチ５３ａを操作すると、ステップＳＰ３１の判断結果が「ＹＥＳ」となり、ＣＰＵ５１ａは、ステップＳＰ３２へ進む。ステップＳＰ３２では、ＣＰＵ５１ａは、「メッセージ」の種類として「階」（ステップＳＰ２５、ＳＰ２６及びＳＰ３１のルート）、「部屋」（ステップＳＰ２７、ＳＰ２８及びＳＰ３１のルート）又は「近隣」（ステップＳＰ２９〜ＳＰ３１のルート）を設定する、具体的には、図２に示すワーキング記憶部５１ｂ４の所定の記憶領域に「メッセージ」の種類として「階」、「部屋」又は「近隣」を選択するための報知方法選択データを記憶した後、ステップＳＰ３３へ進む。
【００６２】
ステップＳＰ３３では、ＣＰＵ５１ａは、終了／選択スイッチ５３ｂが操作されたか否かを判断する。この判断結果が「ＮＯ」の場合には、ＣＰＵ５１ａは、図７に示すステップＳＰ１４へ戻る。一方、ステップＳＰ３３の判断結果が「ＹＥＳ」の場合、すなわち、終了／選択スイッチ５３ｂが操作された場合には、ＣＰＵ５１ａは、ステップＳＰ３４へ進む。ステップＳＰ３４では、ＣＰＵ５１ａは、実行／メニュースイッチ５３ａが操作されたか否かを判断する。この判断結果が「ＮＯ」の場合には、ＣＰＵ５１ａは、同判断を繰り返す。そして、作業者が、実行／メニュースイッチ５３ａを操作すると、ステップＳＰ３４の判断結果が「ＹＥＳ」となり、ＣＰＵ５１ａは、ステップＳＰ３５へ進む。ステップＳＰ３５では、ＣＰＵ５１ａは、「メッセージ」の種類の設定データとして「階」、「部屋」又は「近隣」を更新する。ＣＰＵ５１ａは、具体的には、ステップＳＰ３２の処理において図２に示す記憶部５１ｂを構成するワーキング記憶部５１ｂ４の所定の記憶領域に記憶した「階」、「部屋」又は「近隣」を選択するための報知方法選択データを図２に示す記憶部５１ｂを構成する設定データ記憶部５１ｂ３の初期動作データ設定領域にオーバーライトする。そして、ＣＰＵ５１ａは、図６に示すデータベース設定処理に戻り、ステップＳＰ８へ進む。
【００６３】
次に、図９に示すステップＳＰ３６では、ＣＰＵ５１ａは、ディスプレイ５２ａに図３に示すデータ設定画面を表示した状態において、選択項目「初期設定」が選択されたか否かを判断する。この判断は以下に示すように行われる。すなわち、下降スイッチ５３ｃ又は上昇スイッチ５３ｄが操作されるごとに、上記した各選択項目の左側に表示されている菱形マーク「◇」のいずれか１つが順次反転表示となり、対応する選択項目が選択可能な状態であることが示される。そこで、作業者が、下降スイッチ５３ｃ又は上昇スイッチ５３ｄを操作して、選択項目「初期設定」の左側に表示されている菱形マーク「◇」を反転表示させた後、実行／メニュースイッチ５３ａを操作すると、ＣＰＵ５１ａは、上記した選択項目「初期設定」が選択されたと判断する。ステップＳＰ３６の判断結果が「ＹＥＳ」の場合には、ＣＰＵ５１ａは、ステップＳＰ３７へ進む。
一方、ステップＳＰ３６の判断結果が「ＮＯ」の場合、すなわち、上記した選択項目「初期設定」が選択されなかった場合には、ＣＰＵ５１ａは、図６に示すデータベース設定処理に戻り、ステップＳＰ８へ進む。なお、実際の処理においては、ＣＰＵ５１ａは、作業者による選択項目の選択に応じて各種機能を実行するのであるが、出火制御及び初期設定以外の機能についてはこの発明と直接関係しないので、ここでは単に図６に示すデータベース設定処理に戻り、ステップＳＰ８へ進むとして説明する。
【００６４】
ステップＳＰ３７では、ＣＰＵ５１ａは、ディスプレイ５２ａに、図１７に示す初期設定画面を表示した後、ステップＳＰ３８へ進む。図１７の例では、表示画面の右端から約３分の１の領域に、初期設定画面であることを示す「＊初期設定＊」が表示されているとともに、初期設定の選択項目として、「設定終了」、「中断終了」が表示されている。ステップＳＰ３８では、ＣＰＵ５１ａは、上記した選択項目「設定終了」が選択されたか否かを判断する。この判断は以下に示すように行われる。すなわち、下降スイッチ５３ｃ又は上昇スイッチ５３ｄが操作されるごとに、上記した各選択項目の左側に表示されている菱形マーク「◇」のいずれか１つが順次反転表示となり、対応する選択項目が選択可能な状態であることが示される。そこで、作業者が、下降スイッチ５３ｃ又は上昇スイッチ５３ｄを操作して、表示画面の右端から約３分の１の領域において選択項目「設定終了」の左側に表示されている菱形マーク「◇」を反転表示させた後、実行／メニュースイッチ５３ａを操作すると、ＣＰＵ５１ａは、上記した選択項目「設定終了」が選択されたと判断する。ステップＳＰ３８の判断結果が「ＹＥＳ」の場合には、ＣＰＵ５１ａは、ステップＳＰ３９へ進む。
一方、ステップＳＰ３８の判断結果が「ＮＯ」の場合、すなわち、上記した選択項目「設定終了」が選択されなかった場合には、ＣＰＵ５１ａは、ステップＳＰ４１へ進む。
【００６５】
ステップＳＰ３９では、ＣＰＵ５１ａは、実行／メニュースイッチ５３ａが操作されたか否かを判断する。この判断結果が「ＮＯ」の場合には、ＣＰＵ５１ａは、同判断を繰り返す。そして、作業者が、実行／メニュースイッチ５３ａを操作すると、ステップＳＰ３９の判断結果が「ＹＥＳ」となり、ＣＰＵ５１ａは、ステップＳＰ４０へ進む。ステップＳＰ４０では、ＣＰＵ５１ａは、初期データ再設定を行う。すなわち、ＣＰＵ５１ａは、記憶部５１ｂを構成する設定データ記憶部５１ｂ３に設けられた初期動作データ設定領域に記憶されている設定データを消去した後、初期データ記憶部５１ｂ２から共同住宅警報システム全体が上記初期動作状態で動作するのに必要な初期データを読み出し、記憶部５１ｂを構成する設定データ記憶部５１ｂ３に設けられた初期動作データ設定領域に初期動作データとして記憶した後、図６に示すデータベース設定処理に戻り、ステップＳＰ８へ進む。
これにより、共同住宅警報システムの稼働が開始された後に、何らかの原因で不具合が発生した場合であっても、この例の共同住宅警報システムを初期動作状態まで簡単に戻すことができる。したがって、不具合の原因を究明した後、共同住宅警報システムを短時間で稼働させることができる。
【００６６】
ステップＳＰ４１では、ＣＰＵ５１ａは、上記した選択項目「中断終了」が選択されたか否かを判断する。この判断は以下に示すように行われる。すなわち、下降スイッチ５３ｃ又は上昇スイッチ５３ｄが操作されるごとに、上記した各選択項目の左側に表示されている菱形マーク「◇」のいずれか１つが順次反転表示となり、対応する選択項目が選択可能な状態であることが示される。そこで、作業者が、下降スイッチ５３ｃ又は上昇スイッチ５３ｄを操作して、表示画面の右端から約３分の１の領域において選択項目「中断終了」の左側に表示されている菱形マーク「◇」を反転表示させた後、実行／メニュースイッチ５３ａを操作すると、ＣＰＵ５１ａは、上記した選択項目「中断終了」が選択されたと判断する。ステップＳＰ４１の判断結果が「ＹＥＳ」の場合には、ＣＰＵ５１ａは、ステップＳＰ４２へ進む。
一方、ステップＳＰ４１の判断結果が「ＮＯ」の場合、すなわち、上記した選択項目「中断終了」が選択されなかった場合には、ＣＰＵ５１ａは、ステップＳＰ３８へ戻る。
【００６７】
ステップＳＰ４２では、ＣＰＵ５１ａは、実行／メニュースイッチ５３ａが操作されたか否かを判断する。この判断結果が「ＮＯ」の場合には、ＣＰＵ５１ａは、同判断を繰り返す。そして、作業者が、実行／メニュースイッチ５３ａを操作すると、ステップＳＰ４２の判断結果が「ＹＥＳ」となり、ＣＰＵ５１ａは、ステップＳＰ４３へ進む。ステップＳＰ４３では、ＣＰＵ５１ａは、設定データを保持する。すなわち、ＣＰＵ５１ａは、ワーキング記憶部５１ｂ４の所定の記憶領域に記憶された、既に説明したステップＳＰ１１〜ＳＰ３５の処理により設定された出火階制御に関する設定データや他の設定データをそのまま残して終了する。そして、ＣＰＵ５１ａは、図６に示すデータベース設定処理に戻り、ステップＳＰ８へ進む。なお、ステップＳＰ３９又はステップ４２の処理において、実行／メニュースイッチ５３ａが操作されず、それぞれの判断結果が「ＮＯ」の場合には、ステップＳＰ３８へ戻り、設定終了又は中断終了の選択変更が行えるようにしても良い。
【００６８】
このように、この例の構成によれば、共同住宅警報システム全体が初期動作状態で動作するのに必要な初期データが予め記憶されている初期データ記憶部５１ｂ２を設け、データベース設定モード時に自動的に上記初期データを初期データ記憶部５１ｂ２から読み出して初期動作データとして設定データ記憶部５１ｂ３の初期動作データ設定領域に記憶することができる。したがって、工場出荷時にデータを初期データとして設定する必要もなく、また作業者は、共同住宅警報システムの設置後、当該共同住宅固有の環境（例えば、住戸数や条例等）に適合させるために、各種のデータ（例えば、地区音響の制御方式、感知器作動時の鳴動方式等）を設定するだけで良い。このため、データの設定を短時間で誤操作や誤設定をすることなく容易に行うことができ、共同住宅警報システムの受注から工場出荷、設置そして稼働までの時間を短縮することができる。したがって、最近の多機能化の要請に伴って設定すべきデータが増加する傾向の下であっても、不都合が発生することはない。
【００６９】
また、この例の構成によれば、作業者がデータベース設定モード時に初期設定画面において「設定終了」を選択し実行を指示すると、設定データ記憶部５１ｂ３に設けられた初期動作データ設定領域に記憶されている設定データが消去された後、共同住宅警報システム全体が上記初期動作状態で動作するのに必要な初期データが初期データ記憶部５１ｂ２から読み出され、設定データ記憶部５１ｂ３に設けられた初期動作データ設定領域に初期動作データとして記憶される。したがって、共同住宅警報システムの稼働が開始された後に、何らかの原因で不具合が発生し、共同住宅警報システムを初期動作状態まで戻す必要がある場合であっても、不具合の原因究明後、共同住宅警報システムを稼働させるために必要最小限のデータを設定するだけで良いので、短時間で復旧させることができる。
【００７０】
さらに、この例の構成によれば、地区音響（個別移報）の種類として制御信号の供給方法が異なる地区ベル又は音声警報ユニットのいずれが選択された場合であっても、従来のように共同住宅警報システムが導入される共同住宅ごとにマトリクス回路を用意する必要もなく、作業者はデータベース設定モード時にディスプレイ５２ａに表示された画面を目視しつつ、容易に設定することができる。
また、この例の構成によれば、個別移報の種類として音声警報ユニットを選択した場合には、音声警報ユニット９１は、共同住宅警報複合盤２２から火災発生階に対応した１本の制御信号線を介して供給される制御信号に基づいて、火災発生階及び直上階を判別し、必要な音声出力線を選択して音声信号を供給する。これにより、音声信号が伝送された音声出力線に接続されたスピーカ９２から音声警報により火災の発生が住民等に報知される。この場合、データベース設定処理において、「メッセージ」の種類として「部屋」が選択設定された場合には、上記制御信号には火災が発生している住戸に付与された住戸番号が付加される。したがって、従来のように火災発生場所を示す音声メッセージを音声合成回路に予め設定しておく必要がない。また、火災発生場所として火災が発生している住戸の住戸番号をも報知する必要がある場合であっても、対応することができる。
【００７１】
したがって、この例の構成によれば、多数の初期データを短時間かつ容易に設定できるとともに、稼働開始後何らかの原因で不具合が発生した場合でも、初期動作状態まで短時間で戻すことができる。また、この例の構成によれば、階数や棟数が異なる共同住宅に導入した場合や地区音響の方式が異なる場合であっても、短時間かつ容易に地区音響に関するデータを設定することができる。さらに、この例の構成によれば、多様な音声警報に関するデータを簡単かつ容易に設定することができる。
【００７２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述の実施例においては、この発明を個別移報として音声警報ユニット９１及びスピーカ９２を設ける場合に適用する例を示したが、これに限定されず、この発明は、個別移報として地区ベルを設ける場合にも適用することができるのはいうまでもない。図１８は共同住宅警報複合盤２２と地区ベル９４との接続状態を説明するための概略図、図１９は共同住宅警報複合盤２２を適用した共同住宅警報システムの構成を示す概略図である。図１８及び図１９において、図１及び図４の各部に対応する部分には同一の符号を付け、その説明を省略する。図１８及び図１９においては、図１及び図４に示す音声警報ユニット９１、スピーカ９２及び音声出力線９３１〜９３ｎに換えて、ｎ階建ての共同住宅の各階に配設された制御信号線４８１〜４８ｎにそれぞれ直接接続された地区ベル９４が新たに設けられている。地区ベル９４は、各階の共用部の所定の場所にそれぞれ複数個設置され、稼働電流が供給されることにより鳴動して火災の発生を住民等に報知する。そして、火災発生時に、火災発生階及び直上階に警報を報知する場合には、図１８に示す入出力制御回路５７から当該火災発生階及びその直上階に配設された２本の信号線に稼働電流を供給する。このように、この発明によれば、個別移報として、音声警報ユニット及びスピーカを設ける場合又は地区ベルを設ける場合のいずれであっても共同住宅警報複合盤２２の構成を変更することなく適用することができる。また、作業者は、データベース設定モード時に出火階制御画面を参照しつつ個別移報の種類として音声警報ユニット又は地区ベルを容易に選択することができる。
また、上述の実施例においては、この発明を火災発生時の警報（階、部屋、近隣）を報知する場合に適用する例を示したが、これに限定されず、この発明は、ガス漏れ検知器２６、防犯スイッチ２７又は非常呼出スイッチ２８等からの各種検知信号に基づいてガス漏れ発生、泥棒の侵入、あるいは非常事態の発生時に警報（階、部屋、近隣）を報知する場合にも適用することができる。
【００７３】
【発明の効果】
以上説明したように、請求項１に係る発明の構成によれば、初期状態で動作するのに必要な初期データが予め記憶されている初期データ記憶手段と、通常状態で動作するのに必要な設定データが記憶される設定データ記憶手段と、初期稼働時に初期データ記憶手段から初期データを読み出して設定データ記憶手段に記憶する制御手段とを備えている。したがって、多数の初期データを短時間かつ容易に設定できる。
【００７４】
また、請求項２に係る発明の構成によれば、作業者が操作するための操作手段を備え、制御手段は、操作手段の操作により初期化が指示された場合には、設定データ記憶手段に記憶されている設定データを消去した後、初期データ記憶手段から初期データを読み出して設定データ記憶手段に記憶している。したがって、稼働開始後何らかの原因で不具合が発生した場合でも、初期動作状態まで短時間で戻すことができる。
【００７５】
さらに、請求項３に係る発明の構成によれば、共用部の各階ごとに設置される複数の地区ベルと、音声警報ユニット及び共用部の各階ごとに設置される複数のスピーカとのいずれか一方が接続可能に構成され、通常状態で動作するのに必要な設定データとして、地区ベルによる警報と音声警報ユニットによる警報とを選択するための鳴動方式選択データを記憶する設定データ記憶手段と、鳴動方式選択データが地区ベルによる警報の場合には、検知信号に基づいて異状発生階及び直上階に設置された地区ベルを鳴動させ、鳴動方式選択データが音声警報ユニットによる警報の場合には、検知信号に基づいて異状発生階を示す制御信号を音声警報ユニットに送信する制御手段とを備えている。したがって、階数や棟数が異なる共同住宅に導入した場合や地区音響の方式が異なる場合であっても、短時間かつ容易に地区音響に関するデータを設定することができる。
【００７６】
さらに、請求項４に係る発明の構成によれば、通常状態で動作するのに必要な設定データとして、異状発生場所の報知方法として近隣であること、階であること又は住戸であることのいずれかを選択するための報知方法選択データを記憶する設定データ記憶手段と、前記報知方法選択データに基づいて、前記検知信号からの異状発生場所を前記警報手段から、前記近隣における異状発生、前記階における異状発生又は前記住戸における異状発生のいずれかの警報を発生させる制御手段とを備えている。したがって、多様な音声警報に関するデータを簡単かつ容易に設定することができる。
【図面の簡単な説明】
【図１】この発明の一実施例である共同住宅警報複合盤及びこれに接続される音声警報ユニット及びスピーカの構成を示す概略図である。
【図２】同複合盤を構成する記憶部の構成例を示す概念図である。
【図３】同複合盤を構成する表示部及び操作部の一部の構成例を示す正面図である。
【図４】同複合盤を適用した共同住宅警報システムの構成を示す概略図である。
【図５】同システムを構成する住宅情報盤及びドアホンの構成を示す概略図である。
【図６】同複合盤のデータベース設定処理を説明するためのフローチャートである。
【図７】同複合盤の個別データ設定処理を説明するためのフローチャートである。
【図８】同複合盤の個別データ設定処理を説明するためのフローチャートである。
【図９】同複合盤の個別データ設定処理を説明するためのフローチャートである。
【図１０】同複合盤のデータベース設定処理を説明するための画面表示例及び操作部の一部構成例を示す図である。
【図１１】同複合盤の個別データ設定処理を説明するための画面表示例及び操作部の一部構成例を示す図である。
【図１２】同複合盤の個別データ設定処理を説明するための画面表示例及び操作部の一部構成例を示す図である。
【図１３】同複合盤の個別データ設定処理を説明するための画面表示例及び操作部の一部構成例を示す図である。
【図１４】同複合盤の個別データ設定処理を説明するための画面表示例及び操作部の一部構成例を示す図である。
【図１５】同複合盤の個別データ設定処理を説明するための画面表示例及び操作部の一部構成例を示す図である。
【図１６】同複合盤の個別データ設定処理を説明するための画面表示例及び操作部の一部構成例を示す図である。
【図１７】同複合盤の個別データ設定処理を説明するための画面表示例及び操作部の一部構成例を示す図である。
【図１８】この発明の一実施例である共同住宅警報複合盤及びこれに接続される地区ベルの構成を示す概略図である。
【図１９】同複合盤を適用した共同住宅警報システムの変形例の構成を示す概略図である。
【図２０】従来の共同住宅警報システムの構成例を示すブロック図である。
【符号の説明】
２１  集合玄関機、２２  共同住宅警報複合盤、２３  住宅情報盤（警報手段）、２４，２５  火災感知器、２６  ガス漏れ検知器、２７  防犯スイッチ、２８  非常呼出スイッチ、２９  ドアホン、３０  映像アダプタ、３２〜３４  伝送線、３５〜３７，４１  通話線、３８〜４０  映像線、４２  制御線、４３〜４６，４７１〜４７ｎ  信号線、４８１〜４８ｎ  制御信号線、５１  監視制御部、５１ａ  ＣＰＵ（制御手段）、５１ｂ，６１ｂ  記憶部、５１ｂ１  プログラム記憶部、５１ｂ２  初期データ記憶部（初期データ記憶手段）、５１ｂ３  設定データ記憶部（設定データ記憶手段）、５１ｂ４  ワーキング記憶部、５２，６２  表示部、５２ａ  ディスプレイ、５３，６３  操作部、５３ａ  実行／メニュースイッチ（操作手段）、５３ｂ  終了／選択スイッチ（操作手段）、５３ｃ  下降スイッチ（操作手段）、５３ｄ  上昇スイッチ（操作手段）、５３ｅ  諸警報スイッチ、５３ｆ  火災警報スイッチ、５４  映像制御部、５５，６６  テレビモニタ、５６，６９  通話回路、５７  入出力制御回路、５８，７０  送受話器、５９，７２、８３、９２  スピーカ（警報手段）、６１  制御部、６１ａ  ＣＰＵ、６４  映像切換制御回路、６５  映像回路、６７  警報音響回路、６８  通話切換回路、７１  警報受信回路、８１  呼出スイッチ、８２  マイク、８４  通電表示灯、９１  音声警報ユニット、９３１〜９３ｎ  音声出力線、９４  地区ベル。
【図１】
2004274235.tif 000003
【図２】
2004274235.tif 000004
【図３】
2004274235.tif 000005
【図４】
2004274235.tif 000006
【図５】
2004274235.tif 000007
【図６】
2004274235.tif 000008
【図７】
2004274235.tif 000009
【図８】
2004274235.tif 000010
【図９】
2004274235.tif 000011
【図１０】
2004274235.tif 000012
【図１１】
2004274235.tif 000013
【図１２】
2004274235.tif 000014
【図１３】
2004274235.tif 000015
【図１４】
2004274235.tif 000016
【図１５】
2004274235.tif 000017
【図１６】
2004274235.tif 000018
【図１７】
2004274235.tif 000019
【図１８】
2004274235.tif 000020
【図１９】
2004274235.tif 000021
【図２０】
2004274235.tif 000022